(57)【要約】【課題】低騒音かつ性能の良い遠心送風機を提供する。【解決手段】モータ５で回転駆動される羽根車１と、前記羽根車１を内包するケーシング６と、前記ケーシング６に取り付けられた吸い込みベルマウス７を備え、前記羽根車１は、主板２と、シュラウド３と、前記主板２と前記シュラウド３間に設けられた複数の羽根板４と、前記吸い込みベルマウス７に対向して設けられたハブ部１０からなり、前記ハブ部１０を断面略円錐形状に形成したもので、吸い込みベルマウス７から流入する空気がスムーズに羽根板４に流れていくので、ハブ部１０での剥離流れや衝突音が低減され、低騒音で性能の良い遠心送風機を提供することができる。【選択図】図１
2006017000.tif 000002
【特許請求の範囲】
【請求項１】
モータで回転駆動される羽根車と、前記羽根車を内包するケーシングと、前記ケーシングに取り付けられた吸い込みベルマウスを備え、前記羽根車は、主板と、シュラウドと、前記主板と前記シュラウド間に設けられた複数の羽根板と、前記吸い込みベルマウスに対向して設けられたハブ部からなり、前記ハブ部を断面略円錐形状に形成したことを特徴とする遠心送風機。
【請求項２】
ハブ部に吸音材を内蔵したこと特徴とする請求項１に記載の遠心送風機。
【請求項３】
ハブ部にゴム等の弾性材を内蔵したことを特徴とする請求項１記載の遠心送風機。
【請求項４】
ハブ部の内部にモータの回転軸を螺着する為の雌ねじ部を設けたことを特徴とする請求項１〜３のいずれか１項に記載の遠心送風機。
【請求項５】
雌ねじ部の周囲に弾性材を配したことを特徴とする請求項４に記載の遠心送風機。
【発明の詳細な説明】
【技術分野】
【０００１】
本発明は、空気調和機などに用いられる遠心送風機に関するもので、特に遠心送風機の低騒音化、高性能化に関するものである。
【背景技術】
【０００２】
従来の遠心送風機について図６を用いて説明する。１は羽根車であり、主板２、シュラウド３、円錐台状のハブ部１０および主板２とシュラウド３との間に設けられた複数の羽根板４より構成されている。５は羽根車１に直結されたモータであり、羽根車１とモータ５を内包するケーシング６に弾性的に固定されている。
【０００３】
７は吸い込みベルマウスであり、ケーシング６に設けた吸い込み口６ａに先端を挿入され、モータ５の取り付け脚５ａに対して同心状位置に設けた取り付けねじ穴８と吸い込みベルマウス７の中心に対して前記ねじ穴８と同径の同心円上に設けた穴７ａとをねじ９で固定されている（例えば、特許文献１参照）。
【０００４】
上記構成により、モータ５の駆動により羽根車１が回転すると、空気はほぼ軸方向にベルマウス７から吸い込まれ、羽根車１の羽根板４によって昇圧され、径方向に羽根車１から吹き出される。
【特許文献１】実公平６−２９５１９号公報
【発明の開示】
【発明が解決しようとする課題】
【０００５】
しかしながら、従来の遠心送風機の構造では、ベルマウス７から吸い込まれた空気が、径方向に羽根車１から吹き出される際、矢印に示すようにベルマウス７から羽根板４へ流入する間、吸い込み流れの一部が円錐台状のハブ部１０の上面に衝突し、ハブ部１０の斜面にうまく沿うことができずに羽根板４に流入する流れが生じる。そのため、ハブ部１０や羽根板４での流れの乱れが生じ、騒音が発生しやすく、また羽根車１の性能損失にもつながるといった課題を有していた。
【０００６】
本発明はこのような従来の課題を解決するものであり、羽根車の吸い込み流れをスムーズにして、低騒音で、かつ高性能の遠心送風機を提供することを目的とする。
【課題を解決するための手段】
【０００７】
上記課題を解決するために、本発明の遠心送風機は、モータで回転駆動される羽根車と、前記羽根車を内包するケーシングと、前記ケーシングに取り付けられた吸い込みベルマウスを備え、前記羽根車は、主板と、シュラウドと、前記主板と前記シュラウド間に設けられた複数の羽根板と、前記吸い込みベルマウスに対向して設けられたハブ部からなり、前記ハブ部を断面略円錐形状に形成したもので、吸い込みベルマウスから流入する空気がスムーズに羽根板に流れていくので、ハブ部での剥離流れや衝突音が低減され、低騒音で、性能の良い遠心送風機を提供することができる。
【発明の効果】
【０００８】
本発明の遠心送風機は、ハブ部での羽根車の吸い込み流れを円滑にして、低騒音で剥離や乱れの少ない流れを実現することができる。
【発明を実施するための最良の形態】
【０００９】
第１の発明は、モータで回転駆動される羽根車と、前記羽根車を内包するケーシングと
、前記ケーシングに取り付けられた吸い込みベルマウスを備え、前記羽根車は、主板と、シュラウドと、前記主板と前記シュラウド間に設けられた複数の羽根板と、前記吸い込みベルマウスに対向して設けられたハブ部からなり、前記ハブ部を断面略円錐形状に形成したもので、吸い込みベルマウスから流入する空気がスムーズに羽根板に流れていくので、ハブ部での剥離流れや衝突音が低減され、低騒音で性能の良い遠心送風機を提供することができる。
【００１０】
第２の発明は、特に、第１の発明のハブ部に吸音材を内蔵したもので、吸入流れの流体騒音を吸音し、騒音を低減できる。
【００１１】
第３の発明は、特に、第１の発明のハブ部にゴム等の弾性材を内蔵したもので、モータからの振動や、モータと羽根車との共振を吸収し、振動を抑制し、騒音を低減することができる。
【００１２】
第４の発明は、特に、第１〜３のいずれか１つの発明のハブ部の内部にモータの回転軸を螺着する為の雌ねじ部を設けたもので、吸い込み流れを円滑にできる形状を有しながら羽根車のモータへの固定が容易になる。
【００１３】
第５の発明は、特に、第４の発明の雌ねじ部の周囲に弾性材を配したもので、モータからの直接の振動を吸収し、それによる騒音を低減することができる。
【００１４】
以下、本発明の実施の形態について図面を参照しながら説明する。なお、この実施の形態によって本発明が限定されるものではない。
【００１５】
（実施の形態１）
図１は、本発明の第１の実施の形態における遠心送風機の断面図である。なお、従来例と同一部分については同一符号を付してその説明を省略する。
【００１６】
図１において、１は羽根車であり、主板２と、シュラウド３と、断面が略円錐形状のハブ部１０および、主板２とシュラウド３間に設けられた複数の羽根板４より構成されている。羽根車１は、ハブ部１０を介してモータ５に取り付けられている。モータ５は、羽根車１、モータ５を内包するケーシング６に弾性的に固定されている。７は吸い込みベルマウスであり、ケーシング６に設けた吸い込み口６ａに先端を挿入され、モータ５の取り付け脚５ａに対して同心状位置に設けた取り付けねじ穴８と吸い込みベルマウス７の中心に対して前記ねじ穴８と同径の同心円上に設けた穴７ａとをねじ９で固定されている
上記構成による本発明の遠心送風機の動作、作用は以下の通りである。
【００１７】
基本的な動作は、従来と同様で、モータ５の駆動により羽根車１が回転し、空気はほぼ軸方向にベルマウス７の案内によって吸い込まれ、羽根車１へ流入し、羽根板４によって昇圧され、径方向に羽根車１から吹き出される。その際、矢印に示すように、従来とは異なり、ハブ部１０が円錐形状になっている為、ベルマウス７の下流側の流れの一部がハブ部１０の斜面に沿って、円滑に流れ、羽根板４にスムースに流入される。それにより乱れが少ない流れを実現し、低騒音化が図れると共に、性能が向上する。
【００１８】
なお、図１においては、ハブ部１０の先端は尖ったように形成されているが、丸みを帯びさせて形成しても同様の効果が得られるものである。
【００１９】
（実施の形態２）
図２は、本発明の第２の実施の形態における遠心送風機のハブ部の要部拡大断面図である。なお、上記第１の実施の形態と同一部分については同一符号を付してその説明を省略
する。
【００２０】
本実施の形態は、ハブ部１０の内部に吸音材１１を配し、さらにハブ部１０の吸音材１１を収納する部分の周壁に複数の穴１１ａを設けたもので、この構成により、ハブ部１０付近の吸入流れの流体騒音をハブ部１０に設けた穴１１ａから吸音し、羽根車１全体の騒音を低減することが可能となるものである。
【００２１】
なお、穴１１ａがなくても、透過する音に対しても低騒音化する効果はある。
【００２２】
（実施の形態３）
図３は、本発明の第３の実施の形態における遠心送風機のハブ部の要部拡大断面図である。なお、上記実施の形態と同一部分については同一符号を付してその説明を省略する。
【００２３】
本実施の形態は、ハブ部１０にゴム等からなる弾性材１２を内蔵するもので、モータ５からの振動を吸収し、羽根車１全体の振動や騒音を低減することが可能となる。
【００２４】
（実施の形態４）
図４は、本発明の第４の実施の形態における遠心送風機のハブ部の要部拡大断面図である。なお、上記実施の形態と同一部分については同一符号を付してその説明を省略する。
【００２５】
本実施の形態では、ハブ部１０の先端付近内部に雌ねじ部１３を設け、それにモータ５の回転軸５ｂに設けた雄ねじ部５ｃを直接螺着できるようにしたもので、別部品のナットを用いることなくモータ５の回転軸５ｂと羽根車１のハブ部１０とが簡単に固定できるようになる。
【００２６】
（実施の形態５）
図５は、本発明の第５の実施の形態における遠心送風機のハブ部の要部拡大断面図である。なお、上記実施の形態と同一部分については同一符号を付してその説明を省略する。
【００２７】
本実施の形態は、図５に示すように、前記第４の実施の形態で述べた雌ねじ部１３の周囲に弾性材１２を配したもので、モータ５からの直接の振動をさらに効率よく吸収し、それによる騒音を大幅に低減することができる。
【産業上の利用可能性】
【００２８】
以上のように、本発明の遠心送風機は、低騒音で、かつ性能が良いので、遠心羽根車を利用した送風機関連の用途にも適用できる。
【図面の簡単な説明】
【００２９】
【図１】本発明の実施の形態１における遠心送風機の断面図
【図２】本発明の実施の形態２における遠心送風機のハブ部の要部拡大断面図
【図３】本発明の実施の形態３における遠心送風機のハブ部の要部拡大断面図
【図４】本発明の実施の形態４における遠心送風機のハブ部の要部拡大断面図
【図５】本発明の実施の形態５における遠心送風機のハブ部の要部拡大断面図
【図６】従来の遠心送風機の断面図
【符号の説明】
【００３０】
１    羽根車
２    主板
３    シュラウド
４    羽根板
５    モータ
６    ケーシング
７    吸い込みベルマウス
１０    ハブ部
１１    吸音材
１１ａ  穴
１２    弾性材
１３    雌ねじ部
【図１】
2006017000.tif 000003
【図２】
2006017000.tif 000004
【図３】
2006017000.tif 000005
【図４】
2006017000.tif 000006
【図５】
2006017000.tif 000007
【図６】
2006017000.tif 000008